(57)【要約】【課題】エスカレータの乗客の乗り方状況を撮影するカメラの取付け、取外し、調整を容易に行え、乗客に不信感を与えないエスカレータ監視装置の提供。【解決手段】エスカレータ１の狭角部に配置され、乗客が挟まれることを防ぐ保護装置９，１０を備えたエスカレータ配設構造に設けられ、筒体９Ｂの内部に収納されるカメラ１１と、筒体９Ｂの中心部の鉛直上にカメラ１１を支持する支持具１４ｃとを備え、中央部に所定径の穴及び中心から所定半径の円周上且つ所定角度間隔に複数個の取付穴１３Ａａを設けたカメラ取付板１３Ａと、所定径の穴１３Ａａを中心に対向して立設され、所定長の脚部１３Ｂａを有するコ字状の取付部材１３Ｂと、この取付部材１３Ｂにおけるカメラ取付板１３Ａとの水平面の中心部にカメラ支持部１３Ｂｃとを備えたエスカレータ監視装置。【選択図】図２
2010111447.tif 000002
【特許請求の範囲】
【請求項１】
傾斜して配置されるエスカレータの移動手摺りと建屋天井間の狭角部に、あるいは交差して隣接するエスカレータの底部と移動手摺り間の狭角部に配置されるとともに、前側位置に筒体を有し、乗客が前記狭角部に挟まれることを防ぐ保護装置を備えたエスカレータ配設構造に設けられ、
前記筒体の内部に収納されるカメラと、
前記筒体の中心部の鉛直上に前記カメラを支持する支持具とを備えたことを特徴とするエスカレータ監視装置。
【請求項２】
請求項１記載のエスカレータ監視装置において、
前記カメラの取付治具であって、
中央部に所定径の穴及び中心から所定半径の円周上且つ所定角度間隔に複数個の取付穴を設けたカメラ取付板と、
前記所定径の穴を中心に対向して立設され、所定長の脚部を有するコ字状の取付部材と、
この取付部材における前記カメラ取付板との水平面の中心部にカメラ支持部とを備えたことを特徴とするエスカレータ監視装置。
【請求項３】
請求項１または２記載のエスカレータ監視装置において、
前記筒体の上面から少なくとも前記カメラ取付板の下端部まで前記筒体の内周面を覆うとともに、前記筒体における前記カメラの視野上端部から下方へ光を照射した前記筒体における前記カメラの画角側の投影点から、前記カメラ取付板の下端部までの長さを少なくとも有し、前記カメラの反画角側における前記筒体の略半周を覆う屈曲自在なカバー体を備えたことを特徴とするエスカレータ監視装置。
【請求項４】
請求項１〜３のいずれか１項記載のエスカレータの監視装置において、
前記カバー体は、Ｔ字状あるいはＬ字状の不透明フィルムとし、前記カバー体上辺を前記筒体上端面と面一としたとき前記筒体の上方に設けた穴に合致する位置に少なくとも一つの穴を設けたことを特徴とするエスカレータ監視装置。
【請求項５】
傾斜して配置されるエスカレータの移動手摺りと建屋天井間の狭角部に、あるいは交差して隣接するエスカレータの底部と移動手摺り間の狭角部に配置されるとともに、前側位置に筒体を有し、乗客が前記狭角部に挟まれることを防ぐ保護装置を備えたエスカレータ配設構造に設けられ、前記筒体の内部に収納するカメラの取付方法であって、
前記カメラを垂下させる支持具を、前記狭角部を形成する前記移動手摺りと前記建屋天井間及び前記隣接するエスカレータの底部に設置する第１の工程と、
前記カメラを前記支持具に吊下げるとともに、前記カメラの画角を調整する第２の工程と、
前記カバー体を前記カメラの水平画角に合せ、前記筒体の内周面に接触するように挿入する第３の工程と、
前記保護装置の後部支持部を支持する第４の工程と、
前記カメラを前記筒体の内部に収納する第５の工程と、
前記保護装置の前部支持部を支持する第６の工程とで構成したことを特徴とするエスカレータ監視装置の設置方法。
【請求項６】
傾斜して配置されるエスカレータの移動手摺りと建屋天井間の狭角部に、あるいは交差して隣接するエスカレータの底部と移動手摺り間の狭角部に配置され、前側位置に配置される筒体と、この筒体の後側位置に台形形状の板体とで形成され、乗客が前記狭角部に挟まれることを防ぐとともに、前記筒体内にカメラの収納を可能とする保護装置であって、
前記板体に建屋天井やエスカレータの底部に対する平行な辺と台形形状の下底に相当する辺に挟まれる端点から所定の幅と長さを有する切欠部と、
前記筒体の長手方向に前記板体の厚さと同一寸法の溝部とを設け、
前記板体の前記下底に相当する辺を前記溝部へ挿入し、前記下底に相当する辺を前記溝部の対向内面に当接させた状態で、前記筒体と前記板体を接着したことを特徴とするエスカレータ監視装置の取付装置。
【請求項７】
請求項６記載のエスカレータ監視装置の取付装置において、
前記板体に設けた前記切欠部の幅は前記筒体の内径と厚みを加えた寸法とし、前記切欠部の長さは前記カメラを所定位置へ配置して上下の画角を最適に調整したとき、少なくとも画角下端の位置としたことを特徴とするエスカレータ監視装置の取付装置。
【請求項８】
請求項６または７記載のエスカレータ監視装置の取付装置において、
前記溝部は、少なくとも前記板体における切欠部以外の前記下底に相当する辺の長さ寸法としたことを特徴とするエスカレータ監視装置の取付装置。
【発明の詳細な説明】
【技術分野】
【０００１】
本発明は、エスカレータ乗客の乗り方を撮影記録するのに好適なエスカレータ監視装置、エスカレータ監視装置の設置方法、及びエスカレータ監視装置の取付装置に関する。
【背景技術】
【０００２】
従来のエスカレータ配設構造において、建屋の上下階床間を傾斜して配置されるエスカレータの移動手摺りと、建屋天井間に形成される狭角部に、あるいは複数台のエスカレータを側面から見て交差するように併設したときに一方のエスカレータの移動手摺りと、他方のエスカレータの底部間に形成される狭角部に、乗客が挟まれることを防ぐ保護装置が備えられているものがある。各々の保護装置の前方端部には、所定径の筒体が設けられており、乗客が保護装置の筒体に衝突したとき危険を察知させ、その乗客に怪我をさせない構造となっている。
【０００３】
このようなエスカレータ配設構造に含まれるエスカレータにおいて、従来、乗客が何らかの原因で転倒し、あるいは挟まれ、転落するような事故が起こり得ることを考慮して、乗客のエスカレータの利用状況を撮影する監視用のカメラを備えるとともに、保護装置の揺れを検出するセンサを設け、このセンサが保護装置の揺れを検出した時点の前後所定時間の映像を記録するようにしたエスカレータの監視装置が提案されている（特許文献１参照）。
【０００４】
また、このようなエスカレータ配設構造に含まれるエスカレータにおいて、乗客が移動手摺りから乗り出し、保護装置に接触するまで狭角部の接近に気付かずに重大な事故に至るのを防止するため、保護装置の手前に吊設され、弾性体によって支持される検出体を設け、保護装置があることを事前に認知させるようにしたエスカレータの安全装置が提案されている（特許文献２参照）。
【０００５】
また、このようなエスカレータ配設構造に含まれるエスカレータにおいて、上下部のそれぞれの乗場へ所定高のポールを立設し、このポール内にカメラを内蔵させ、乗降客の乗り方を撮影記録するようにしたエスカレータの監視カメラが提案されている(特許文献３参照)。
【０００６】
また、狭角部に設置されるアクリル製の保護装置は、筒体と台形形状の板体で形成され、板体の上端辺には、所定の厚みと所定の高さを有するアクリル板で形成される補強部が前後に貼り付けられ、筒体に形成される溝部に補強部を含め挿入し、筒体に加わるねじれ方向に対する強度を向上させている(特許文献４参照)。
【特許文献１】特開２００２−１１４４７５号公報
【特許文献２】実開昭６１−１５４２７８号公報
【特許文献３】特開２００６−２０６２８３号公報
【特許文献４】特開２００３−２０１８６号公報
【発明の開示】
【発明が解決しようとする課題】
【０００７】
上述した従来のエスカレータ監視装置は、保護装置の揺れを検出するセンサに接続される信号線をカメラの制御装置まで配線する必要があり、建屋側の配線工事による設置費用がかかる問題があった。
【０００８】
また、カメラは建屋側の天井または壁に設置することになり、取付個所が制限されるため、良好なカメラ視野が確保できないといった問題や、吹き抜け構造や壁面がガラス仕上げ、あるいは天井特殊仕上げ等の特殊構造の場合には、カメラを設置することができないといった問題があった。
【０００９】
また、ポールを立設させるため、建屋側の床の掘削やポールの固定や配線ダクトの埋設等、建屋工事期間や費用がかかるという問題や、乗客の動線を妨げる問題や、下部から上方を撮影するため乗客に覗かれているという不信感を与える問題もあった。
【００１０】
更に、建物内の照明装置の光がカメラに入り、画像に光が写り込み肝心な個所が見え難くなるという現象があった。
【００１１】
また、保護装置の筒体内には長手方向に板体が挿入されており、筒体上部にカメラを内蔵できない問題があった。
【００１２】
本発明の第１の目的は、エスカレータの乗客の乗り方状況を撮影するカメラの取付け、取外し、調整が容易に行えるとともに、乗客に不信感を与えないエスカレータ監視装置を提供することにある。
【００１３】
本発明の第２の目的は、エスカレータの乗客の乗り方状況を撮影するカメラに対し、建物内の照明や外光の影響を受け難く、意匠的に優れたエスカレータ監視装置を提供することにある。
【００１４】
本発明の第３の目的は、エスカレータの乗客の乗り方状況を撮影するカメラの取付け、取外し、調整が容易に行えるエスカレータ監視装置の設置方法を提供することにある。
【００１５】
本発明の第４の目的は、保護装置の筒体内にカメラを装着できるエスカレータ監視装置の取付装置を提供することにある。
【課題を解決するための手段】
【００１６】
前記第１の目的を達成するために本発明の請求項１、請求項２の発明は、傾斜して配置されるエスカレータの移動手摺りと建屋天井間の狭角部に、あるいは交差して隣接するエスカレータの底部と移動手摺り間の狭角部に配置されるとともに、前側位置に筒体を有し、乗客が前記狭角部に挟まれることを防ぐ保護装置を備えたエスカレータ配設構造に設けられ、前記筒体の内部に収納されるカメラと、前記筒体の中心部の鉛直上に前記カメラを支持する支持具とを備え、中央部に所定径の穴及び中心から所定半径の円周上且つ所定角度間隔に複数個の取付穴を設けたカメラ取付板と、前記所定径の穴を中心に対向して立設され、所定長の脚部を有するコ字状の取付部材と、この取付部材における前記カメラ取付板との水平面の中心部にカメラ支持部とを備えたエスカレータ監視装置である。
【００１７】
このように、エスカレータの狭角部に配置される保護装置の筒体内にカメラを内蔵したことで、建屋の天井や壁の構造に影響されることなく、乗客の昇降状態を監視できる最良な位置に監視用のカメラを取付けることができるとともに、撮影位置はエスカレータの中間部近傍からとなるので、上方を撮影しても覗きが可能なアングルにはならならず、乗客の動線に影響も与えない。
【００１８】
また、保護装置とは別にカメラの支持具を筒体の中心部の鉛直上に設けたことで、カメラ単独で吊下げることが可能になるとともに、カメラを取付けるとき、取付治具の取付穴位置を変えることで、カメラの水平画角を変更できる。
【００１９】
また、前記第２の目的を達成するために本発明の請求項３、請求項４の発明は、前記筒体の上面から少なくとも前記カメラ取付板の下端部まで前記筒体の内周面を覆うとともに、前記筒体における前記カメラの視野上端部から下方へ光を照射した前記筒体における前記カメラの画角側の投影点から、前記カメラ取付板の下端部までの長さを少なくとも有し、前記カメラの反画角側における前記筒体の略半周を覆う屈曲自在なカバー体を備え、このカバー体は、Ｔ字状あるいはＬ字状の不透明フィルムとし、前記カバー体上辺を前記筒体上端面と面一としたとき前記筒体の上方に設けた穴に合致する位置に少なくとも一つの穴を設けたエスカレータ監視装置である。
【００２０】
このように、カバー体は筒体内壁を反射してカメラの視野角度に入る光を抑制するので、画像への光の写り込みを減少させることができる。
【００２１】
また、前記第３の目的を達成するために本発明の請求項５の発明は、傾斜して配置されるエスカレータの移動手摺りと建屋天井間の狭角部に、あるいは交差して隣接するエスカレータの底部と移動手摺り間の狭角部に配置されるとともに、前側位置に筒体を有し、乗客が前記狭角部に挟まれることを防ぐ保護装置を備えたエスカレータ配設構造に設けられ、前記筒体の内部に収納されるカメラの取付方法であって、前記カメラを垂下させる支持具を前記移動手摺りと前記建屋天井間及び前記エスカレータの底部に設置する第１の工程と、前記カメラの画角を調整する第２の工程と、前記カバー体を前記カメラの水平画角に合せるとともに、前記筒体の内周面に接触するように挿入する第３の工程と、前記保護装置の後部支持部を支持する第４の工程と、前記カメラを前記筒体の内部に収納する第５の工程と、前記保護装置の前部支持部を支持する第６の工程とで構成したものである。
【００２２】
このように、取付けた支持具にカメラを吊下げ、カメラの画角を調整し、この調整した画角に合わせて筒体内にカバー体を挿入した後、保護装置の最後部を支持し、筒体内にカメラを挿入し、保護装置の前部を支持するようにしたことで、カメラの画角調整はカメラを吊下げたまま行えるとともに、カバー体も光の影響を避ける最適位置に配置でき、保護装置の筒体内へカメラを挿入してからの調整作業をする必要がない。
【００２３】
また、前記第４の目的を達成するために本発明の請求項６〜請求項８の発明は、傾斜して配置されるエスカレータの移動手摺りと建屋天井間の狭角部に、あるいは交差して隣接するエスカレータの底部と移動手摺り間の狭角部に配置され、前側位置に配置される筒体と、この筒体の後側位置に台形形状の板体とで形成され、乗客が前記狭角部に挟まれることを防ぐとともに、前記筒体内にカメラの収納を可能とする保護装置であって、前記板体に建屋天井やエスカレータの底部に対する平行な辺と台形形状の下底に相当する辺に挟まれる端点から所定の幅と長さを有する切欠部と、前記筒体の長手方向に前記板体の厚さと同一寸法の溝部とを設け、前記板体の前記下底に相当する辺を前記溝部へ挿入し、前記下底に相当する辺を前記溝部の対向内面に当接させた状態で、前記筒体と前記板体を接着し、前記切欠部の幅は前記筒体の内径と厚みを加えた寸法とし、前記切欠部の長さは前記カメラを所定位置へ配置して上下の画角を最適に調整したとき、少なくとも画角下端の位置とするとともに、前記溝部は少なくとも前記板体における切欠部以外の前記下底に相当する辺の長さ寸法としたエスカレータ監視装置の取付装置である。
【００２４】
このように、保護装置の筒体上部に空間部を設けることができ、この空間部にカメラを装着することができる。
【発明の効果】
【００２５】
本発明の請求項１、請求項２の発明によれば、エスカレータの狭角部に配置される保護装置の筒体内にカメラを内蔵したことで、乗客の昇降状態を監視できる最良な位置での撮影が行えるとともに、カメラアングルに関して乗客からの信頼感を得ることができる。
【００２６】
また、保護装置と別にカメラを独立して吊下げるとともに、カメラの取付けのとき、取付治具に設けた取付穴の位置を変えるとカメラの水平画角を変更できるようにしたので、カメラの調整作業を容易且つ短時間に行える。
【００２７】
また、請求項３、請求項４記載の発明によれば、カバー体は、筒体の内面を反射してカメラの視野角度に入る光を抑制し、カメラの画像に光の写り込みを減少させるので、判りやすい映像を提供することができるとともに、筒体の上端部から取付治具の下端部を覆うことで、カメラや取付治具やケーブル等を隠すことができ、意匠性に優れた監視装置を提供できる。
【００２８】
また、カバー体に設けた少なくとも一つの穴を筒体に設けた穴に合致させることで、カメラの画角位置にカバー体を自在に調整できるので、カメラの調整が短時間に行える。
【００２９】
また、請求５記載の発明によれば、カメラの画角調整はカメラを吊下げたまま行えるとともに、カバー体をカメラ画角の最適位置に配置でき、取付時の調整を的確且つ短時間に行える。
【００３０】
また、請求項６〜請求項８記載の発明によれば、保護装置の筒体内にカメラを内蔵できるようにしたので、エスカレータの乗客にカメラの存在を意識させず、乗客の近い位置での撮影が可能となる。
【発明を実施するための最良の形態】
【００３１】
以下、本発明のエスカレータ監視装置、エスカレータ監視装置の設置方法、及びエスカレータ監視装置の取付装置に関する実施形態を図に基づいて説明する。
【００３２】
図１は本発明に係るエスカレータ監視装置の第１実施形態の全体構成を示す側面図で、図２は本発明に係るエスカレータ監視装置のカメラ取付状態を示す保護装置部の側面図及び要部拡大図で、図３は本発明に係るエスカレータ監視装置の取付装置である保護装置の構造を示す要部斜視図で、図４は本発明に係るエスカレータ監視装置の構成を説明する斜視図で、図５は本発明に係るエスカレータ監視装置の取付け手順を示すフローチャートである。
【００３３】
図１〜図５において、エスカレータ１は、１階床２と２階床３に跨って設置されており、乗客がつかまる移動手摺り４を支持する欄干５と、この欄干５を外側から保持する外デッキ６と、エスカレータ１の制御装置７を備え、移動手摺り４と２階床３の下方に設けられる１階天井８間に形成される狭角部８Ｄに、乗客が挟まれるのを防ぐために、乗客が触れたときに危険に気付かせるように揺動可能な稼動保護装置９と、堅固に固定される固定保護装置１０とが配置されている。
【００３４】
また、稼動保護装置９は台形形状のアクリル製の板体９Ａと、この板体９Ａに接着される所定径を有するアクリル製の筒体９Ｂで構成されており、筒体９Ｂの上方には１階天井８から吊下げられているドーム式のカメラ１１が挿入される。
【００３５】
また、カメラ１１の頂部中央には電源や映像信号用のコネクタ１１Ａが設けられ、このコネクタ１１Ａにケーブル１２が着脱自在に接続され、カメラ１１の頂部に設けられる図示しない複数のねじ穴に図示しないビスをそれぞれ螺着させて取付治具１３が締結される。
【００３６】
取付治具１３は、中央部に所定径の図示しない穴を設けコネクタ１１Ａとの接触を避け、カメラ１１の直径を越えない円周上に所定角度間隔に複数の穴１３Ａａが設けられるカメラ取付板１３Ａと、このカメラ取付板１３Ａの中央部の図示しない穴を中心とした対向位置には、所定長の一対の脚部１３Ｂａを有するコ字状の取付部材１３Ｂが溶接されており、取付部材１３Ｂの水平面の中心部にカメラ支持部１３Ｂｃが設けられている。ここで、カメラ１１の頂部に設けられる図示しないねじ穴とカメラ取付板１３Ａの穴１３Ａａとの締結位置を変えることで、カメラ１１の水平画角を変えることができる。
【００３７】
また、１階天井８の狭角部８Ｄにカメラ１１及び稼動保護装置９を取付ける取付金具１４が取付けられ、この取付金具１４は稼動保護装置９の板体９Ａの上方に設けられる後部支持部である後部取付穴９Ａａと前部支持部である筒体側取付け穴９Ａｂの間隔で、支持部１４ａ，１４ｂが設けられるとともに、支持部１４ｂから筒体側取付け穴９Ａｂと筒体９Ｂの中心部の長さと同一寸法で、支持部１４ｃが設けられ、支持部１４ａ，１４ｂと吊りリング１５Ａを介して稼動保護装置９後部取付穴９Ａａ、筒体側取付け穴９Ａｂが取付けられ、支持部１４ｃと吊りリング１５Ｂ及びカメラ支持部１３Ｂｃを介してカメラ１１が吊下げられる。
【００３８】
ここで、取付金具１４は支持部１４ａ，１４ｂ，１４ｃを設けたものを説明したが、支持部１４ｃを別個の取付金具に設け、稼動保護装置９の取付金具とは別に取付けても、筒体９Ｂの中心部の鉛直上にカメラ１１を支持する支持部１４ｃが位置すれば良い。
【００３９】
このようにしたことで、カメラ１１は稼動保護装置９と別に取付けることができ、カメラ１１の画角等の調整を実施してから稼動保護装置９の筒体９Ｂに装着することができる。
【００４０】
また、筒体９Ｂの内面を反射し、カメラ１１の映像に光の写り込みを防止するとともに、カメラ１１上部のカメラ取付板１３Ａやケーブル１２を隠すために、平面Ｔ字状やＬ字状のカバー体である不透明のフィルム１６を筒体９Ｂ内に挿入する。
【００４１】
このフィルム１６は、Ｔ字状やＬ字状としたカメラ１１上部を隠すための遮蔽部１６Ａと、筒体９Ｂの内周における約半分の幅寸法を有する反射防止部１６Ｂとからなり、筒体９の上端と遮蔽部１６Ａの上端を面一にしたとき、筒体９上部に設けた穴９Ｂａと合致する長穴１６Ａａを、遮蔽部１６Ａに設ける。
【００４２】
また、カメラ１１には筒体９Ｂにおける上方視野角点Ａと下方視野角点Ｂとを有しており、光の写り込みはこの視野角点Ａ−Ｂの範囲内でカメラ１１の反画角側から光が反射しなければ良いのであるから、反射防止部１６Ｂの下端は長くとも下方視野角点Ｂの位置まであれば良く、上方視野角点Ａから下方へ光を照射し、筒体９Ｂの反画角側の内面で反射したアクリルに対する光の全反射の臨界角における画角側の投影点Ｃを定める。ここで、筒体９Ｂの下方から全反射してきた光が投影点Ｃより上方位置で反射すると、光がカメラに入ることとなり、画像に光の写り込みが生じるので、反射防止部１６Ｂの下端は下方視野角Ｂと投影点Ｃの間に位置すれば良いこととなる。
【００４３】
また、水平視野角を検討すると、カメラの水平視野角は約１２０度であるので、筒体９Ｂにおける反画角側の１８０度に反射防止部１６Ｂが位置すれば十分である。
【００４４】
また、フィルム１６の反射防止部１６Ｂの外側に印刷個所１６Ｂａを設けると、注意喚起(例えば「カメラ作動中」)や店内案内等のＰＲにも活用できる。
【００４５】
このようにしたことで、カメラ１１も上部に設けたカメラ取付板１３Ａやケーブル１２を、フィルム１６の遮蔽部１６Ａで隠すことができ、エスカレータ１の利用者はカメラ１１の存在に気付くことがなく、故意に悪戯されることもない。
【００４６】
また、フィルム１６の反射防止部１６Ｂが確実に筒体９Ｂ内の光の反射による写り込みを抑制するので、判り易い画像を記録することができる。
【００４７】
次に、稼動保護装置９の台形形状の板体９Ａは、板体９Ａの台形形状の下底である筒側辺９ａの上端角部から筒体９Ｂの内径と筒体９Ｂの厚みを加えた寸法の幅と、筒体９Ｂの上端から筒体９Ｂにおけるカメラ１１の下方視野角点Ｂまでの長さとを有する部分を切欠部９Ａｃとして切り欠き、板体９Ａの上端両面に所定幅の補強材を貼り付けるとともに、補強材を貼り付けた部分の筒体９Ｂ側に穴９Ａｂ及び反筒体９Ｂ側に穴９Ａａを稼動保護装置９の取付け用として設ける。
【００４８】
一方、稼動保護装置９の筒体９Ｂは、筒体９Ｂにおけるカメラ１１の下方視野角点Ｂから下方長手方向に、板体９Ａの厚み寸法を有する溝部９Ｂｂを設けるとともに、筒体９Ｂの上方には所定径の穴９Ｂを設ける。
【００４９】
このように板体９Ａと筒体９Ｂを製作し、板体９Ａにおける切欠部９Ａｃ以外の筒側辺９ａの端部に接着剤を塗布し、筒体９Ｂの溝部９Ｂｂへ板体９Ａの筒側辺９ａから挿入するとともに、板体９Ａの上端部と筒体９Ｂの上端部が面一になるようし、溝部９Ｂｂと対向する筒体９Ｂの内面に接着剤を塗布した筒側９ａの端部を押付け、筒体９Ｂと板体９Ａが接触する個所に接着剤を付け、筒体９Ｂと板体９Ａを接着する。
【００５０】
ここで、筒体９Ｂに設けた溝部９Ｂｂは筒体９Ｂにおけるカメラ１１の下方視野角点Ｂから下方長手方向に設けたが、筒体９Ｂにおけるカメラ１１の下方視野角点Ｂから切欠部９Ａｃ以外の筒側辺９ａの長さでも良く、筒体９Ｂの長手方向全体に設けても良い。
【００５１】
このようにしたので、カメラ１１を稼動保護装置９の筒体９Ｂ上方部に収納することができ、乗客に近い位置での撮影が可能となった。
【００５２】
次に、エスカレータ監視装置の取付けに関する手順を図５を用いて説明する。
【００５３】
まず、狭角部８Ｄの１階天井８にカメラ１１及び稼動保護装置９を吊下げる取付金具１４を、支持部１４ｃが１階床２の方向となるように取付ける(手順Ｓ１)。
【００５４】
次に、取付金具１４の支持部１４ａ，１４ｂにリング１５Ａを取付けるとともに、支持部１４ｃに取付けたリング１５Ａをカメラ１１に締結された取付治具１３のカメラ支持部１３Ｂｃに装着し、カメラ１１を取付ける。
【００５５】
次に、取付けられたカメラ１１の垂直画角と水平画角の調整を図示しないモニタを見ながら行う。ここで、カメラ１１の水平画角の調整は、取付治具１３を外して所定角度回転させ、カメラ取付板１３Ａの穴１３Ａａとカメラ１１の頂部に設けられる図示しない複数のねじ穴との締結位置を変えて行う(手順Ｓ２)。
【００５６】
次に、手順Ｓ２にて調整したカメラ１１の水平画角に対しフィルム１６の反射防止部１６Ｂの最適な位置に合わせるべく、稼動保護装置９をカメラ１１の位置に近づけたり筒体９Ｂにカメラ１１を挿入したりして、カメラ１１の向きが筒体９Ｂのどの位置となるかを見定め(筒体９Ｂ頂部へのマークでも可)、フィルム１６を丸めて筒体９Ｂの頂部開口部からカメラ１１と反対方向が反射防止部１６Ｂの中心線となる位置に調整しながら挿入し、フィルム１６の遮蔽部１６Ａの設けた長穴１６Ａａが筒体９Ｂ上部の穴９Ｂａに合致する位置で挿入を止め、筒体９Ｂの内壁へのフィルム１６の接触状態を確認し、接触状態が悪いときは、フィルム１６の曲げ具合を変えて再度挿入作業を行う(手順Ｓ３)。
【００５７】
次に、手順Ｓ２にて取付金具１４の支持部１４ａに取付けたリング１５Ａを、稼動保護装置９の板体９Ａの上方に設けられる後部取付穴９Ａａへ装着し、稼動保護装置９の仮止めを行う(手順Ｓ４)。
【００５８】
次に、稼動保護装置９の筒体９Ｂにカメラ１１を挿入し(手順Ｓ５)、手順Ｓ２にて取付金具１４の支持部１４ｃに取付けたリング１５Ｂを、稼動保護装置９の板体９Ａの上方に設けられる筒体側取付け穴９Ａｂへ装着し(手順Ｓ６)、取付金具１４の支持部１４ｃと、筒体９Ｂ上部の穴９Ｂａ及び筒体９Ｂに装着されるフィルム１６の遮蔽部１６Ａの設けた長穴１６Ａａとにワイヤーリング１７を装着する。
【００５９】
ここで、筒体９Ｂの穴９Ｂａ及びフィルム１６の長穴１６Ａａと取付金具１４の支持部１４ｃとをワイヤーリング１７で接続することで、稼動保護装置９の板体９Ａが割れて板体９Ａと筒体９Ｂが分離しても、筒体９Ｂの落下を防止するものである。
【００６０】
このように、カメラ１１に関連する作業と稼動保護装置９に関連する作業を別々に行えるようにしたので、カメラ１１の画角調整作業や光による移りこみの対策作業を簡単且つ的確に行うことができる。
【００６１】
また、交差して隣接するエスカレータに対しては、隣接するエスカレータの底部と移動手摺り間の狭角部の角度が異なり、これに伴い保護装置の構造が若干異なるが、エスカレータ監視装置に関しては上記実施形態と概ね同じであるので、説明は省略する。
【図面の簡単な説明】
【００６２】
【図１】本発明に係るエスカレータ監視装置の第１実施形態の全体構成を示す側面図である。
【図２】本発明に係るエスカレータ監視装置のカメラ取付状態を示す保護装置部の側面図及び要部拡大図である。
【図３】本発明に係るエスカレータ監視装置の取付装置である保護装置の構造を示す要部斜視図である。
【図４】本発明に係るエスカレータ監視装置の構成を説明する斜視図である。
【図５】本発明に係るエスカレータ監視装置の取付け手順を示すフローチャートである。
【符号の説明】
【００６３】
１‥‥エスカレータ
８Ｄ‥‥狭角部
９‥‥稼動保護装置
９Ａ‥‥板体
９Ａａ‥‥後部取付穴
９Ａｂ‥‥筒体側取付け穴
９Ａｃ‥‥切欠部
９Ｂ‥‥筒体
９Ｂｂ‥‥溝部
１１‥‥カメラ
１３‥‥取付治具
１３Ａ‥‥カメラ取付板
１３Ａａ‥‥穴
１３Ｂ‥‥取付部材
１３Ｂｃ‥‥カメラ支持部
１４‥‥取付金具
１４ａ，１４ｂ，１４ｃ‥‥支持部
１５Ａ，１５Ｂ‥‥リング
１６‥‥フィルム
１６Ａ‥‥遮蔽部
１６Ａａ‥‥長穴
１６Ｂ‥‥反射防止部
【図１】
2010111447.tif 000003
【図２】
2010111447.tif 000004
【図３】
2010111447.tif 000005
【図４】
2010111447.tif 000006
【図５】
2010111447.tif 000007